(57)【要約】【課題】  ベッドの設置作業を容易に行うことができるベッドの脚パッドを提供すること。【解決手段】  ベッドの脚パッドP1は、ベッド設置面25上においてベッド20の移動用キャスタ21の下に敷かれるパッド本体１と、ベッド設置面25上に敷設され、パッド本体１に接続されるとともに、キャスタ21をパッド本体１へ案内する案内杆５と、を備えている。【選択図】      図１
2006239113.tif 000002
【特許請求の範囲】
【請求項１】
ベッド設置面上においてベッドの移動用キャスタの下に敷かれるパッド本体と、
前記ベッド設置面上に敷設され、前記パッド本体に接続されるとともに、前記キャスタを前記パッド本体へ案内する案内杆と、
を備えていることを特徴とするベッドの脚パッド。
【請求項２】
前記パッド本体は、ベッドの在床検出器、ベッド上横臥者の荷重検出器又は生体情報計測器からなる請求項１記載のベッドの脚パッド。
【請求項３】
前記案内杆は、その一側面部からなる案内部に前記キャスタの側面を当接させた状態で前記キャスタを前記案内部に沿って前記パッド本体へ案内するものである請求項１又は２記載のベッドの脚パッド。
【請求項４】
前記案内杆の案内部は、前記案内杆が前記ベッド設置面上に敷設された状態で前記ベッド設置面に対して略垂直になるように形成されている請求項３記載のベッドの脚パッド。
【請求項５】
前記案内杆の案内部とは反対側の側面部が、上方に対して前記案内部側に傾斜した斜面ないし前記案内部側に曲がった横断面略円弧状の曲面に形成されている請求項３又は４のいずれか１項記載のベッドの脚パッド。
【請求項６】
前記案内杆は、その長さ方向に延びるとともにケーブル類が挿通される中空部を有している請求項１〜５のいずれか１項記載のベッドの脚パッド。
【請求項７】
前記パッド本体の縁部に、前記キャスタを該パッド本体上に載置させる際に前記キャスタが通過する、前記ベッド設置面に向かって下降勾配のスロープ面が形成されており、
前記パッドの前記縁部に、前記案内杆が接続されている請求項１〜６のいずれか１項記載のベッドの脚パッド。
【請求項８】
前記パッド本体の長さ方向両縁部のうちベッド長さ方向においてベッド内側に向いた縁部における、ベッド幅方向においてベッド内側寄りの端部に、前記案内杆が接続されている請求項１〜７のいずれか１項記載のベッドの脚パッド。
【請求項９】
前記パッド本体及び／又は前記案内杆の底面に、前記ベッド設置面に対する滑り止めが施されている請求項１〜８のいずれか１項記載のベッドの脚パッド。
【請求項１０】
前記案内杆は、前記パッド本体からベッド長さ方向に真直に延びた状態で前記ベッド設置面上に敷設されるものである請求項１〜９のいずれか１項記載のベッドの脚パッド。
【請求項１１】
前記案内杆は、前記パッド本体からベッド長さ方向に対してベッド内側に平面視略円弧状に屈曲してベッド幅方向に延びた状態で前記ベッド載置面上に敷設されるものである請求項１〜９のいずれか１項記載のベッドの脚パッド。
【請求項１２】
ベッドの複数個の移動用キャスタの下にそれぞれ敷かれる複数個の前記パッド本体を備えており、
前記複数個のパッド本体のうち少なくとも２個のパッド本体が前記案内杆を介して相互に連結されており、
前記案内杆は、前記少なくとも２個のパッド本体間の間隔を、該少なくとも２個のパッド本体に対応する少なくとも２個のキャスタ間の間隔に保持する間隔保持杆としても機能している請求項１〜１１のいずれか１項記載のベッドの脚パッド。
【請求項１３】
ベッドの複数個の移動用キャスタの下にそれぞれ敷かれる複数個の前記パッド本体を備えており、
前記複数個のパッド本体のうち少なくとも２個のパッド本体が前記案内杆を介して相互に連結されるとともに、残りの複数個のパッド本体が前記ベッド設置面上に敷設される連結杆を介して相互に連結され、且つ前記案内杆と前記連結杆とが相互に連結されており、  前記案内杆と前記連結杆は、双方が相互に連結された状態において、前記複数個のパッド本体間の間隔を前記複数個のキャスタ間の間隔に保持する間隔保持杆としても機能している請求項１〜１１のいずれか１項記載のベッドの脚パッド。
【請求項１４】
前記連結杆は、その長さ方向に延びるとともにケーブル類が挿通される中空部を有している請求項１３記載のベッドの脚パッド。
【請求項１５】
前記案内杆は、前記パッド本体に分離可能に接続されている請求項１〜１４のいずれか１項記載のベッドの脚パッド。
【請求項１６】
前記案内杆はアルミニウム製である請求項１〜１５のいずれか１項記載のベッドの脚パッド。
【請求項１７】
前記案内杆はプラスチック製である請求項１〜１５のいずれか１項記載のベッドの脚パッド。
【請求項１８】
前記案内杆は押出材で形成されている請求項１〜１７のいずれか１項記載のベッドの脚パッド。
【請求項１９】
ベッドの移動用キャスタをベッド設置面上に敷設された脚パッド上に載置するベッドの設置方法において、
前記脚パッドとして、請求項１〜１８のいずれか１項記載のベッドの脚パッドを前記ベッド設置面上に敷設し、
次いで、前記キャスタを前記脚パッドの案内杆により前記脚パッドのパッド本体へ案内したのち、
前記キャスタをパッド本体上に載置することを特徴とするベッドの設置方法。
【請求項２０】
ベッド設置面上においてベッドの複数個の移動用キャスタの下にそれぞれ敷かれる複数個のパッド本体と、
前記ベッド設置面上に敷設され、前記複数個のパッド本体のうち少なくとも２個のパッド本体を相互に連結した連結杆と、
を備え、
前記連結杆は、前記少なくとも２個のパッド本体間の間隔を、該少なくとも２個のパッド本体に対応する少なくとも２個のキャスタ間の間隔に保持する間隔保持杆としても機能していることを特徴とするベッドの脚パッド。
【請求項２１】
前記パッド本体は、ベッドの在床検出器、ベッド上横臥者の荷重検出器又は生体情報計測器からなる請求項２０記載のベッドの脚パッド。
【請求項２２】
前記連結杆は、その長さ方向に延びるとともにケーブル類が挿通される中空部を有している請求項２０又は２１記載のベッドの脚パッド。
【請求項２３】
ベッドの移動用キャスタをベッド設置面上に敷設された脚パッド上に載置するベッドの設置方法において、
前記脚パッドとして、請求項２０〜２２のいずれか１項記載のベッドの脚パッドを前記ベッド設置面上に敷設することを特徴とするベッドの設置方法。
【発明の詳細な説明】
【技術分野】
【０００１】
本発明は、ベッドの移動用キャスタの下に敷かれるベッドの脚パッド及び該脚パッドを用いたベッドの設置方法に関する。
【背景技術】
【０００２】
医療施設や介護施設などでは、病人、乳幼児、高齢者などの被験者（横臥者）の健康を把握するために、例えばベッド上に睡眠や休息のために横臥している被験者についてその寝返り等の体動、呼吸数、脈拍数（心拍数）等の生体情報を計測する生体情報計測器が開発されている。この生体情報計測器は、被験者の胸部の下に敷かれたりベッドの脚部（移動用キャスタを含む。）の下に敷かれた状態で、生体情報を計測するように構成されている。
【０００３】
また、ベッド上に被験者が滞在しているか否かを検出する装置、即ちベッドの在床検出器として、ベッドの脚部とベッド設置面との間にロードセルを敷き、このロードセルからの出力信号に基づいて被験者の滞在・不滞在を検出するように構成したものが知られている（例えば特許文献１参照）。また、この在床検出器は、ベッド上の被験者の荷重やその変動を検出する荷重検出器としても用いられている。
【０００４】
また、ベッドの脚部とベッド設置面との間に介在される在床検出器として、基体の上面上に、感歪抵抗体が装着されたセンサ基板を設置し、その上側に、ベッドの脚部の荷重を受けて感歪抵抗体を起歪させる荷重受け板を配置したものも知られている（例えば特許文献２参照）。
【特許文献１】特開２００３−７９５８５号公報
【特許文献２】特開２０００−１０５８８４号公報
【発明の開示】
【発明が解決しようとする課題】
【０００５】
ところで、病院などで使用されるベッドは、一般に、その複数個の脚部の下端にベッド移動用キャスタが複数個設けられ、病室の掃除の際や検査室等への移動に備えていつでも移動できるようになっている。しかるに、移動したベッドを元の位置に戻す場合には、ベッドの複数個のキャスタをそれぞれ対応する上記検出器（即ち、在床検出器、荷重検出器又は生体情報計測器）へ正確に移動させなければならず、例えばベッドの下を覗きながらベッドの移動を行う必要があり、煩わしい作業が強いられていた。
【０００６】
さらに、この作業の際に、複数個の検出器間の間隔が複数個のキャスタ間の間隔に合致するように各検出器の位置を調節しなければならず、ベッドの設置作業が益々困難になっていた。
【０００７】
本発明は、上述した事情に鑑みてなされたもので、その目的は、ベッドの移動用キャスタを上記検出器等からなる脚パッド上に載置することによりベッドを設置するベッドの設置作業について、容易に行うことができるベッドの脚パッド、及び該脚パッドを用いたベッドの設置方法を提供することにある。
【課題を解決するための手段】
【０００８】
本発明は以下の手段を提供する。
【０００９】
［１］  ベッド設置面上においてベッドの移動用キャスタの下に敷かれるパッド本体と、前記ベッド設置面上に敷設され、前記パッド本体に接続されるとともに、前記キャスタを前記パッド本体へ案内する案内杆と、を備えていることを特徴とするベッドの脚パッド。
【００１０】
［２］  前記パッド本体は、ベッドの在床検出器、ベッド上横臥者の荷重検出器又は生体情報計測器からなる前項１記載のベッドの脚パッド。
【００１１】
［３］  前記案内杆は、その一側面部からなる案内部に前記キャスタの側面を当接させた状態で前記キャスタを前記案内部に沿って前記パッド本体へ案内するものである前項１又は２記載のベッドの脚パッド。
【００１２】
［４］  前記案内杆の案内部は、前記案内杆が前記ベッド設置面上に敷設された状態で前記ベッド設置面に対して略垂直になるように形成されている前項３記載のベッドの脚パッド。
【００１３】
［５］  前記案内杆の案内部とは反対側の側面部が、上方に対して前記案内部側に傾斜した斜面ないし前記案内部側に曲がった横断面略円弧状の曲面に形成されている前項３又は４のいずれか１項記載のベッドの脚パッド。
【００１４】
［６］  前記案内杆は、その長さ方向に延びるとともにケーブル類が挿通される中空部を有している前項１〜５のいずれか１項記載のベッドの脚パッド。
【００１５】
［７］  前記パッド本体の縁部に、前記キャスタを該パッド本体上に載置させる際に前記キャスタが通過する、前記ベッド設置面に向かって下降勾配のスロープ面が形成されており、前記パッドの前記縁部に、前記案内杆が接続されている前項１〜６のいずれか１項記載のベッドの脚パッド。
【００１６】
［８］  前記パッド本体の長さ方向両縁部のうちベッド長さ方向においてベッド内側に向いた縁部における、ベッド幅方向においてベッド内側寄りの端部に、前記案内杆が接続されている前項１〜７のいずれか１項記載のベッドの脚パッド。
【００１７】
［９］  前記パッド本体及び／又は前記案内杆の底面に、前記ベッド設置面に対する滑り止めが施されている前項１〜８のいずれか１項記載のベッドの脚パッド。
【００１８】
［１０］  前記案内杆は、前記パッド本体からベッド長さ方向に真直に延びた状態で前記ベッド設置面上に敷設されるものである前項１〜９のいずれか１項記載のベッドの脚パッド。
【００１９】
［１１］  前記案内杆は、前記パッド本体からベッド長さ方向に対してベッド内側に平面視略円弧状に屈曲してベッド幅方向に延びた状態で前記ベッド載置面上に敷設されるものである前項１〜９のいずれか１項記載のベッドの脚パッド。
【００２０】
［１２］  ベッドの複数個の移動用キャスタの下にそれぞれ敷かれる複数個の前記パッド本体を備えており、前記複数個のパッド本体のうち少なくとも２個のパッド本体が前記案内杆を介して相互に連結されており、前記案内杆は、前記少なくとも２個のパッド本体間の間隔を、該少なくとも２個のパッド本体に対応する少なくとも２個のキャスタ間の間隔に保持する間隔保持杆としても機能している前項１〜１１のいずれか１項記載のベッドの脚パッド。
【００２１】
［１３］  ベッドの複数個の移動用キャスタの下にそれぞれ敷かれる複数個の前記パッド本体を備えており、前記複数個のパッド本体のうち少なくとも２個のパッド本体が前記案内杆を介して相互に連結されるとともに、残りの複数個のパッド本体が前記ベッド設置面上に敷設される連結杆を介して相互に連結され、且つ前記案内杆と前記連結杆とが相互に連結されており、  前記案内杆と前記連結杆は、双方が相互に連結された状態において、前記複数個のパッド本体間の間隔を前記複数個のキャスタ間の間隔に保持する間隔保持杆としても機能している前項１〜１１のいずれか１項記載のベッドの脚パッド。
【００２２】
［１４］  前記連結杆は、その長さ方向に延びるとともにケーブル類が挿通される中空部を有している前項１３記載のベッドの脚パッド。
【００２３】
［１５］  前記案内杆は、前記パッド本体に分離可能に接続されている前項１〜１４のいずれか１項記載のベッドの脚パッド。
【００２４】
［１６］  前記案内杆はアルミニウム製である前項１〜１５のいずれか１項記載のベッドの脚パッド。
【００２５】
［１７］  前記案内杆はプラスチック製である前項１〜１５のいずれか１項記載のベッドの脚パッド。
【００２６】
［１８］  前記案内杆は押出材で形成されている前項１〜１７のいずれか１項記載のベッドの脚パッド。
【００２７】
［１９］  ベッドの移動用キャスタをベッド設置面上に敷設された脚パッド上に載置するベッドの設置方法において、前記脚パッドとして、前項１〜１８のいずれか１項記載のベッドの脚パッドを前記ベッド設置面上に敷設し、次いで、前記キャスタを前記脚パッドの案内杆により前記脚パッドのパッド本体へ案内したのち、前記キャスタをパッド本体上に載置することを特徴とするベッドの設置方法。
【００２８】
［２０］  ベッド設置面上においてベッドの複数個の移動用キャスタの下にそれぞれ敷かれる複数個のパッド本体と、前記ベッド設置面上に敷設され、前記複数個のパッド本体のうち少なくとも２個のパッド本体を相互に連結した連結杆と、を備え、前記連結杆は、前記少なくとも２個のパッド本体間の間隔を、該少なくとも２個のパッド本体に対応する少なくとも２個のキャスタ間の間隔に保持する間隔保持杆としても機能していることを特徴とするベッドの脚パッド。
【００２９】
［２１］  前記パッド本体は、ベッドの在床検出器、ベッド上横臥者の荷重検出器又は生体情報計測器からなる前項２０記載のベッドの脚パッド。
【００３０】
［２２］  前記連結杆は、その長さ方向に延びるとともにケーブル類が挿通される中空部を有している前項２０又は２１記載のベッドの脚パッド。
【００３１】
［２３］  ベッドの移動用キャスタをベッド設置面上に敷設された脚パッド上に載置するベッドの設置方法において、前記脚パッドとして、前項２０〜２２のいずれか１項記載のベッドの脚パッドを前記ベッド設置面上に敷設することを特徴とするベッドの設置方法。
【発明の効果】
【００３２】
本発明は以下の効果を奏する。
【００３３】
［１］の発明では、ベッドの設置作業時にベッドの移動用キャスタを案内杆によってパッド本体へ案内することができ、そのため、ベッドの設置作業を容易に行うことができる。
【００３４】
［２］の発明では、ベッドのキャスタを、パッド本体としての、ベッドの在床検出器、ベッド上横臥者の荷重検出器又は生体情報計測器へ案内することができる。
【００３５】
［３］の発明では、ベッドのキャスタを確実にパッド本体へ案内することができる。
【００３６】
［４］の発明では、ベッドのキャスタの案内時にキャスタが案内杆の案内部側から案内杆を乗り越える不具合を確実に防止することができて、ベッドのキャスタを更に確実にパッド本体へ案内することができる。
【００３７】
［５］の発明では、ベッドの設置作業時にベッドのキャスタが案内杆の案内部側とは反対側に配置されている場合において、該キャスタが案内杆を案内部側へ容易に乗り越えられるようになり、もってベッドの設置作業を更に容易に行うことができる。
【００３８】
［６］の発明では、検出器からの出力信号線や検出器用給電ケーブル等のケーブル類を案内杆の中空部に挿通し収納することができる。これにより、ベッドの設置作業時に人の足やベッドのキャスタがケーブル類に引っ掛かる不具合を防止することができ、もってベッドの設置作業を確実に容易に行うことができる。
【００３９】
［７］の発明では、ベッドのキャスタを案内杆によってパッド本体へ案内した後、該キャスタをパッド本体上に載置する際に、該キャスタをスロープ面上を通過させることにより、キャスタをパッド本体上へ容易に載置することができる。
【００４０】
［８］の発明では、ベッドのキャスタが案内杆の案内部に沿ってパッド本体へ案内されると、最終的に該キャスタは、パッド本体の縁部における、パッド本体の幅方向の略中間位置に到達するから、キャスタをパッド本体上へ更に容易に載置することができる。しかも、人がベッドの周囲を歩行する際や、ベッド上に横臥者が乗る際、又はベッド上から横臥者が降りる際に、足先を案内杆にぶつけてつまずく不具合を出来る限り防止することができる。
【００４１】
［９］の発明では、ベッドの設置作業時に生じることのあるパッド本体や案内杆の位置ずれを防止することができ、もってベッドの設置作業を更に確実に容易に行うことができる。
【００４２】
［１０］及び［１１］の発明では、ベッドのキャスタをパッド本体へ確実に案内することができる。
【００４３】
［１２］の発明では、案内杆を介して相互に連結された少なくとも２個のパッド本体間の間隔を、該少なくとも２個のパッド本体に対応する少なくとも２個のキャスタ間の間隔に保持することができ、もってベッドの設置作業を更に容易に行うことができる。
【００４４】
［１３］の発明では、全てのパッド本体間の間隔を全てのキャスタ間の間隔に保持することができ、もってベッドの設置作業を更に容易に行うことができる。
【００４５】
［１４］の発明では、検出器からの出力信号線や検出器用給電ケーブル等のケーブル類を連結杆の中空部に挿通し収納することができる。これにより、ベッドの設置作業時に人の足やベッドのキャスタがケーブル類に引っ掛かる不具合を防止することができ、もってベッドの設置作業を確実に容易に行うことができる。
【００４６】
［１５］の発明では、必要に応じて案内杆をパッド本体に接続したりパッド本体から案内杆を分離したりすることができる。
【００４７】
［１６］の発明では、軽量で頑丈な案内杆を備えた脚パッドを提供できる。
【００４８】
［１７］の発明では、軽量な案内杆を備えた脚パッドを提供できる。
【００４９】
［１８］の発明では、案内杆を低コストに製作することができる。
【００５０】
［１９］の発明では、ベッドの設置作業を容易に行うことができる。
【００５１】
［２０］の発明では、連結杆を介して相互に連結された少なくとも２個のパッド本体間の間隔を、該少なくとも２個のパッド本体に対応する少なくとも２個のキャスタ間の間隔に保持することができ、もってベッドの設置作業を容易に行うことができる。
【００５２】
［２１］の発明では、パッド本体が、ベッドの在床検出器、ベッド上横臥者の荷重検出器又は生体情報計測器からなる場合において、ベッドの設置作業を容易に行うことができる。
【００５３】
［２２］の発明では、検出器からの出力信号線や検出器用給電ケーブル等のケーブル類を連結杆の中空部に挿通し収納することができる。これにより、ベッドの設置作業時に人の足やベッドのキャスタがケーブル類に引っ掛かる不具合を防止することができ、もってベッドの設置作業を確実に容易に行うことができる。
【００５４】
［２３］の発明では、ベッドの設置作業を容易に行うことができる。
【発明を実施するための最良の形態】
【００５５】
次に、本発明の幾つかの実施形態について図面を参照して以下に説明する。
【００５６】
図１〜図６は、本発明の第１実施形態に係るベッドの脚パッドを説明するための概略図である。
【００５７】
図１において、（P1）は本第１実施形態に係るベッドの脚パッド、（20）はベッドである。
【００５８】
ベッド（20）は、病院、介護施設、一般家庭等において、睡眠用ベッド、診察台、検査台、ストレッチャー等として使用されるものである。このベッド（20）上には、健康人をはじめ、病人、乳幼児、高齢者などが睡眠、休息、診察、検査等のために横臥する。
【００５９】
このベッド（20）は、平面視長方形状のもので、その複数個の脚部（22）の下端にそれぞれ回転自在なベッド移動用キャスタ（21）を有している（図５参照）。このキャスタ（21）は更に鉛直軸を中心に回転自在に脚部（22）の下端に取り付けられている。本実施形態では、ベッド（20）の脚部（22）の個数は、ベッド（20）上に横臥する横臥者（図示せず）の頭部側に配置された左右両脚部と横臥者の脚部側に配置された左右両脚部との合計４個であり、したがってキャスタ（21）の個数も４個である。
【００６０】
ここで説明の便宜上、ベッド（20）の４個のキャスタ（21）（21）（21）（21）において、横臥者の頭部側のベッド左脚部及び右脚部の下端に取り付けられたキャスタを、ぞれぞれベッド（20）の「左頭部キャスタ（21）」及び「右頭部キャスタ（21）」といい、横臥者の脚部側のベッド左脚部及び右脚部の下端に取り付けられたキャスタを、それぞれベッド（20）の「左脚部キャスタ（21）」及び「右脚部キャスタ（21）」という。
【００６１】
本実施形態のベッドの脚パッド（P1）は、ベッド（20）の複数個のキャスタ（21）の下にそれぞれ敷かれる複数個のパッド本体（１）（１）（１）（１）と、１個の案内杆（５）と、２個の連結杆（10）（10）とを備えている。
【００６２】
本実施形態では、パッド本体（１）は、ベッド設置面（25）上においてベッド（20）の４個のキャスタ（21）の下にそれぞれ１個ずつ敷かれるものである。なお、ベッド設置面（25）は、例えば病室や寝室の床面などからなる。
【００６３】
ここで説明の便宜上、脚パッド（P1）の４個のパッド本体（１）（１）（１）（１）において、ベッド（20）の左頭部キャスタ（21）、右頭部キャスタ（21）、左脚部キャスタ（21）及び右脚部キャスタ（21）の下に敷かれるパッド本体を、それぞれ「左頭部パッド本体（１）」、「右頭部パッド本体（１）」、「左脚部パッド本体（１）」及び「右脚部パッド本体（１）」という。
【００６４】
本実施形態では、パッド本体（１）は、ベッド（20）上に横臥者が滞在（横臥）しているか否かを検出するベッド（20）の在床検出器、ベッド（20）上の横臥者の荷重又は荷重変動を検出する荷重検出器、又はベッド（20）上の横臥者の生体情報（体動、呼吸数、脈拍数等）を計測する生体情報計測器からなる。なお以下では、在床検出器、荷重検出器及び生体情報計測器を単に「検出器」という。
【００６５】
このパッド本体（１）は、ベッド設置面（25）上における所定位置に敷設されて該パッド本体（１）の中央部上面からなるキャスタ載置面（２）上に、該パッド本体（１）に対応するキャスタ（21）が載置されるものである。
【００６６】
パッド本体（１）の構成を以下に説明する。
【００６７】
パッド本体（１）は平面視方形（例えば正方形や長方形）状のものであって、その材質はアルミニウム（その合金を含む。以下同じ。）である。このパッド本体（１）の内部には検出器のセンサ（図示せず）が収容されている。
【００６８】
なお本発明では、パッド本体（１）の材質はアルミニウム以外の金属（例えばステンレス鋼）であっても良いし、プラスチックであっても良いし、他の材料であってもよい。
【００６９】
図５に示すように、パッド本体（１）のキャスタ載置面（２）のベッド設置面（25）からの高さＴ、即ちパッド本体（１）の厚さＴは、出来る限り薄い方が好ましく、具体的には２０ｍｍ（特に好ましくは１０ｍｍ）以下に設定されることが望ましい。ただし本発明では、Ｔはこのような範囲に設定されることに限定されるものでない。
【００７０】
なお本発明では、パッド本体（１）のキャスタ載置面（２）は、例えば、平坦状に形成されていても良いし、凹面状に形成されていても良い。
【００７１】
ここで説明の便宜上、本明細書では、パッド本体（１）がベッド設置面（25）上に敷設される場合において該パッド本体（１）のベッド長さ方向に沿う方向を、パッド本体（１）の長さ方向といい、パッド本体（１）のベッド幅方向に沿う方向を、パッド本体（１）の幅方向という。
【００７２】
パッド本体（１）の長さ方向両縁部（1a）には、それぞれベッド設置面（25）に向かって下降勾配のスロープ面（３）が形成されている。つまり、パッド本体（１）の長さ方向両縁部（1a）の上面は、それぞれベッド設置面（25）に向かって下降勾配のスロープ面（３）に形成されている。
【００７３】
パッド本体（１）の底面には、ベッド設置面（25）に対する滑り止めとして、シート状滑り止め部材（17）が付設されている。この滑り止め部材（27）としては、ゴムシートや両面粘着テープ等がパッド本体（１）の底面に接着剤等で貼り付けられて設けられている。
【００７４】
案内杆（５）は、ベッド設置面（25）上に敷設され、ベッド（20）の設置時にベッド（20）のキャスタ（21）をパッド本体（１）へ案内するものである。
【００７５】
図１に示すように、この案内杆（５）の一端部は右頭部パッド本体（１）にねじ（15）等の締結部材で分離可能に接続されている。そして、この案内杆（５）は、ベッド（20）の下側において右頭部パッド本体（１）からベッド長さ方向に真直に延びるとともに、該案内杆（５）の他端部が右脚部パッド本体（１）にねじ（15）等の締結部材で分離可能に接続されており、この状態で案内杆（５）がベッド設置面（25）上に敷設されている。したがって、右頭部パッド本体（１）と右脚部パッド本体（１）とは、この案内杆（５）を介して相互に連結されている。
【００７６】
また、 この案内杆（５）は、剛性を有しており、右頭部パッド本体（１）と右脚部パッド本体（１）との間の間隔を、該両パッド本体（１）（１）に対応する２個のキャスタとして右頭部キャスタ（21）と右脚部キャスタ（21）との間の間隔に保持するものとなされており、即ち間隔保持杆としても機能するものとなされている。
【００７７】
さらに、案内杆（５）は、図４に示すように横断面ロ字状のものであり、その内部には、該案内杆（５）の長さ方向に貫通して延びた中空部（８）が設けられている。そして、この中空部（８）内に、パッド本体（１）を構成する検出器からの出力信号線や検出器用給電ケーブル等の、検出器に使用されるケーブル類（16）が挿通されて収納されている。
【００７８】
この案内杆（５）は、アルミニウム押出材で形成されたものである。
【００７９】
なお本発明では、案内杆（５）の材質はアルミニウム以外の金属（例えばステンレス鋼）であっても良いし、プラスチックであっても良いし、他の材料であっても良い。
【００８０】
また、案内杆（５）の両側面部のうちベッド外側に向いた側面部は、上下方向に平坦状に形成されており、この案内杆（５）の案内部（６）を構成している。そして、この案内杆（５）は、その案内部（６）にベッド設置面（25）上における案内部（６）側の位置に配置されたベッド（20）の右頭部キャスタ（21）における両側面のうちベッド内側に向いた一側面（21a）だけを押し当てた状態で、該右頭部キャスタ（21）を案内部（６）に沿ってベッド設置面（25）上を走行させながら右頭部パッド本体（１）へ誘導案内するものとなされている。
【００８１】
また、案内杆（５）がベッド設置面（25）上に敷設された状態において、案内杆（５）の案内部（６）はベッド設置面（25）に対して垂直になるように形成されている。また同じく、案内杆（５）の案内部（６）とは反対側の側面（７）は、ベッド設置面（25）に対して垂直になるように形成されている。
【００８２】
この案内杆（５）の高さＨは、１０〜５０ｍｍ（特に好ましくは２０〜４０ｍｍ）の範囲に設定されることが望ましく、更に、キャスタ（21）の直径Ｄに対して１０〜４０％（特に好ましくは１５〜３５％）の範囲に設定されることが望ましい。ただし本発明では、Ｈはこのような範囲に設定されることに限定されるものでない。
【００８３】
なお本発明では、案内杆（５）は、横断面ロ字状のものに限定されるものではなく、例えば、図７に示すように、案内杆（５）の案内部（６）とは反対側の側面（７）が、上方に対して案内部（６）側に曲がった横断面略円弧状の曲面に形成されていても良い。また、図示していないが、案内杆（５）の案内部（６）とは反対側の側面が、上方に対して案内部（６）側に傾斜した斜面に形成されていても良い。
【００８４】
また本発明では、案内杆（５）の案内部（６）は、案内杆（５）の平坦状の側面部からなるものに限定されるものではない。例えば、図８に示すように、案内杆（５）の側面部にはその長さ方向に延びた１個（又は複数個）の凸条部（6a）が設けられており、案内部（６）はこの案内杆（５）の側面部からなるものであってもも良い。
【００８５】
また、案内杆（５）の底面には、ベッド設置面（25）に対する滑り止めとして、シート状滑り止め部材（17）が付設されている。この滑り止め部材（17）としては、ゴムシートや両面粘着テープ等が案内杆（５）の底面に接着剤等で貼り付けられて設けられている。
【００８６】
次に、案内杆（５）とパッド本体（１）との接続構造について、図１、図２及び図５を参照して以下に説明する。
【００８７】
案内杆（５）の各端部は、パッド本体（１）の長さ方向両縁部（1a）のうち、ベッド長さ方向においてベッド内側に向いた縁部（1a）における、ベッド幅方向においてベッド内側寄りの端部に、その底部に設けられた凹所（４）内に案内杆（５）の端部の底部に一体に突設された接続用突片部（９）が差し込まれた状態で、ねじ（15）等の締結部材で分離可能に接続されている。一方、ねじ（15）等の締結部材を取り外すことにより、案内杆（５）の端部がパッド本体（１）から分離されるものとなされている。
【００８８】
なお本発明では、締結部材としては、ねじ（15）の他、ボルト−ナット等が用いられる。
【００８９】
図１に示すように、２個の連結杆（10）（10）のうち１個の連結杆（10）は、右頭部パッド本体（１）と左頭部パッド本体（１）との間に介在されるとともに、該両パッド本体（１）（１）を相互に連結している。残りの１個の連結杆（10）は、右脚部パッド本体（１）と左脚部パッド本体（１）との間に介在されるとともに、該両パッド本体（１）（１）を相互に連結している。そして、この状態で両連結杆（10）（10）がベッド設置面（25）上に敷設されている。
【００９０】
したがって、本第１実施形態では、４個のパッド本体（１）（１）（１）（１）の全部は、隣り合うパッド本体（１）（１）間に配置された案内杆（５）と連結杆（10）とを介して相互に連結されている。
【００９１】
また、２個の連結杆（10）（10）のうち１個の連結杆（10）は、剛性を有しており、右頭部パッド本体（１）と左頭部パッド本体（１）との間の間隔を、該両パッド本体（１）（１）に対応する２個のキャスタとして右頭部キャスタ（21）と左頭部キャスタ（21）との間の間隔に保持するものとなされており、即ち間隔保持杆としても機能するものとなされている。また同じく、残りの１個の連結杆（10）は、剛性を有しており、右脚部パッド本体（１）と左脚部パッド本体（１）との間の間隔を、該両パッド本体（１）（１）に対応する２個のキャスタとして右脚部キャスタ（21）と左脚部キャスタ（21）との間の間隔に保持するものとなされており、即ち間隔保持杆としても機能するものとなされている。
【００９２】
また、各連結杆（10）の内部には、図６に示すように、該連結杆（10）の長さ方向に貫通して延びた中空部（11）が設けられている。そして、この中空部（11）内に、パッド本体（１）を構成する検出器からの出力信号線や検出器用給電ケーブル等の、検出器に使用されるケーブル類（16）が挿通されて収納されている。
【００９３】
また、この連結杆（10）の上面は横断面円弧状に形成されており、また連結杆（10）の底面は平坦状に形成されている。
【００９４】
この連結杆（10）は、アルミニウム押出材で形成されたものである。
【００９５】
なお本発明では、連結杆（10）の材質はアルミニウム以外の金属（例えばステンレス鋼）であっても良いし、プラスチックであっても良いし、他の材料であっても良い。
【００９６】
また、連結杆（10）の底面には、ベッド設置面（25）に対する滑り止めとして、シート状滑り止め部材（17）が付設されている。この滑り止め部材（17）としては、ゴムシートや両面粘着テープ等が連結杆（10）の底面に接着剤等で貼り付けられて設けられている。
【００９７】
連結杆（10）の高さ、即ち連結杆（10）の厚さは、例えば１０ｍｍ（特に好ましくは５ｍｍ）以下に設定されることが望ましい。ただし本発明では、連結杆（10）の高さ（厚さ）はこのような範囲に限定されるものではない。
【００９８】
次に、連結杆（10）とパッド本体（１）との接続構造について、図１、図３及び図６を参照して以下に説明する。
【００９９】
連結杆（10）の各端部は、パッド本体（１）の幅方向両縁部のうち、ベッド幅方向においてベッド内側に向いた縁部に、薄幅の連結片（18）を介してねじ（15）等の締結部材で分離可能に接続されている。すなわち、パッド本体（１）の縁部には前記連結片（18）がねじ（15）等の締結部材で取り付けられており、更にこの連結片（18）の一部が連結杆（10）の端部開口内に差し込まれた状態で、連結片（18）に連結杆（10）の端部がねじ（15）等の締結部材で取り付けられている。一方、ねじ（15）等の締結部材を取り外すことにより、連結杆（10）の端部がパッド本体（１）から分離されるものとなされている。
【０１００】
なお本発明では、締結部材としては、ねじ（15）の他、ボルト−ナット等が用いられる。
【０１０１】
次に、本第１実施形態のベッドの脚パッド（P1）を用いたベッド（20）の設置方法について以下に説明する。
【０１０２】
まず、図１に示すように、本第１実施形態のベッドの脚パッド（P1）をベッド設置面（25）上に敷設する。また、ベッド設置面（25）上においてベッド（20）を脚パッド（P1）の案内杆（５）の右側（即ち案内部（６）側）で且つ脚パッド（P1）の右脚部パッド本体（１）の後方側に配置させておく。そして、この位置から、ベッド（20）を案内杆（５）のベッド脚部側の端部からベッド頭部側の端部へと進む方向に対して斜め方向に人力等で押して移動させることにより、このベッド（20）の右頭部キャスタ（21）をベッド設置面（25）上を走行させ該右頭部キャスタ（21）を案内杆（５）の案内部（６）に該案内部（６）側から斜めに押し当てる。すると、右頭部キャスタ（21）が鉛直軸を中心に回転し、該右頭部キャスタ（21）の両側面のうちベッド内側に向いた一側面（21a）だけが図４に示すように案内杆（５）の案内部（６）に押し当てられた状態で右頭部キャスタ（21）の該側面（21a）が案内部（６）に当接する。
【０１０３】
この当接状態で、ベッド（20）の長さ方向が案内杆（５）と平行になるようにベッド（20）の向きを修正しながら、ベッド（20）を更に進行方向に移動させる。これにより、右頭部キャスタ（21）が案内部（６）に沿ってベッド設置面（25）上を走行して右頭部パッド本体（１）へと案内され、もってこの右頭部キャスタ（21）が右頭部パッド本体（１）の縁部（1a）における、パッド本体（１）の幅方向の中間位置に到達する。これと同様に、他のキャスタ（21）（21）（21）もそれぞれ対応するパッド本体（１）の縁部（1a）の中間位置に到達する。
【０１０４】
更にベッド（20）を進行方向に移動させることにより、右頭部キャスタ（21）が右頭部パッド本体（１）のスロープ面（３）上を通過（走行）したのち該パッド本体（１）のキャスタ載置面（２）上に載置される。これと同様に、他のキャスタ（21）（21）（21）もそれぞれ対応するパッド本体（１）のキャスタ載置面（２）上に載置される。
【０１０５】
以上の操作により、ベッド（１）の設置作業が終了する。
【０１０６】
而して、上記第１実施形態のベッドの脚パッド（P1）は次の利点がある。
【０１０７】
すなわち、ベッドの脚パッド（P1）は、案内杆（５）を備えいているので、ベッド（20）の設置作業時において、ベッド（20）の移動用キャスタ（21）を案内杆（５）によってパッド本体（１）へ案内することができる。そのため、ベッド（20）の設置作業を容易に行うことができる。
【０１０８】
また、パッド本体（１）は、ベッド（20）の在床検出器、ベッド上横臥者の荷重検出器又は生体情報計測器からなるので、このような検出器へのベッド（20）の設置作業を容易に行うことができる。
【０１０９】
また、案内杆（５）は、その一側面部からなる案内部（６）にキャスタ（21）の一側面（21a）を当接させた状態で該キャスタ（21）を案内部（６）に沿ってパッド本体（１）へ案内するものであるから、簡素な構造の案内杆（５）によってキャスタ（21）を確実にパッド本体（１）へ案内することができる。
【０１１０】
また、案内杆（５）の案内部（６）は、案内杆（５）がベッド設置面（25）上に敷設された状態でベッド設置面（25）に対して垂直になるように形成されていることから、キャスタ（21）を案内杆（５）の案内部（６）に押し当てるときなどの、キャスタ（21）の案内時において、キャスタ（21）が案内杆（５）の案内部（６）側から案内杆（５）を乗り越える不具合を確実に防止することができる。そのため、キャスタ（21）を更に確実にパッド本体（１）へ案内することができる。
【０１１１】
また、図７に示した案内杆（５）では、案内杆（５）の案内部（６）とは反対側の側面部（７）が、上方に対して案内部（６）側に曲がった横断面円弧状の曲面に形成されているから、キャスタ（21）が案内杆（５）の案内部（６）側ではなくその反対側に配置されている場合において、該キャスタ（21）が案内杆（５）を案内部（６）側へ容易に乗り越えられるようになり、もってベッド（20）の設置作業を更に容易に行うことができる。
【０１１２】
また、案内杆（５）は、その長さ方向に延びるとともに所定のケーブル類（16）が挿通される中空部（８）を有しているから、検出器からの出力信号線や検出器用給電ケーブル等のケーブル類（16）を案内杆（５）の中空部（８）に挿通して収納することができる。こうすることにより、ベッド（20）の設置作業時に人の足やベッドのキャスタ（21）がケーブル類（16）に引っ掛かる不具合を防止することができ、もってベッド（20）の設置作業を確実に容易に行うことができる。
【０１１３】
また、パッド本体（１）の縁部（1a）にスロープ面（３）が形成されているから、キャスタ（21）を案内杆（５）によってパッド本体（１）へ案内した後、該キャスタ（21）をパッド本体（１）のキャスタ載置面（２）上に載置する際に、該キャスタ（21）をスロープ面（３）上を通過（走行）させることにより、キャスタ（21）をパッド本体（１）のキャスタ載置面（２）上へ容易に載置することができる。
【０１１４】
また、パッド本体（１）の縁部（1a）における、ベッド幅方向においてベッド内側寄りの端部に、案内杆（５）の端部が接続されていることから、キャスタ（21）を案内杆（５）の案内部（６）に沿ってパッド本体（１）へ案内することにより、該キャスタ（21）がパッド本体（１）の縁部（1a）における、パッド本体（１）の幅方向の略中間位置に到達するようになる。そのため、キャスタ（21）をパッド本体（１）のキャスタ載置面（２）上に更に容易に載置することができる。しかも、人がベッド（20）の周囲を歩行する際や、ベッド（20）上に横臥者が乗る際や、ベッド（20）上から横臥者が降りる際に、足先を案内杆（５）にぶつけてつまずく不具合を出来る限り防止することができる。
【０１１５】
また、パッド本体（１）、案内杆（５）及び連結杆（10）の底部に、それぞれ滑り止め部材（17）が貼り付けられているから、ベッド（20）の設置作業時に生じることのあるパッド本体（１）、案内杆（５）及び連結杆（10）のベッド設置面（25）上における位置ずれを防止することができ、もってベッド（20）の設置作業を更に確実に容易に行うことができる。
【０１１６】
また、案内杆（５）はパッド本体（１）からベッド長さ方向に真直に延びた状態でベッド設置面（25）上に敷設されるものであるから、キャスタ（21）をパッド本体（１）へ確実に案内することができる。
【０１１７】
また、４個のパッド本体のうち右頭部パッド本体（１）と右脚部パッド本体（１）とが案内杆（５）を介して相互に連結されていることから、右頭部パッド本体（１）と右脚部パッド本体（１）との間の間隔を、ベッド（20）の右頭部キャスタ（21）と右脚部キャスタ（21）との間の間隔に保持することができる。そのため、ベッド設置時において右頭部パッド本体（１）と右脚部パッド本体（１）との間の間隔を調節する作業が不要となり、もってベッド（20）の設置作業を更に容易に行うことができる。
【０１１８】
さらに、４個のパッド本体のうち右頭部パッド本体（１）と左頭部パッド本体（１）とが連結杆（10）を介して相互に連結されていることから、右頭部パッド本体（１）と左頭部パッド本体（１）との間の間隔を、ベッド（20）の右頭部キャスタ（21）と左頭部キャスタ（21）との間の間隔に保持することができる。そのため、ベッド設置時において右頭部パッド本体（１）と左頭部パッド本体（１）との間の間隔についてもこれを調節する作業が不要となり、もってベッド（20）の設置作業を更に容易に行うことができる。これと同様に、右脚部パッド本体（１）と左脚部パッド本体（１）とが連結杆（10）を介して相互に連結されていることから、右脚部パッド本体（１）と左脚部パッド本体（１）との間の間隔を、ベッド（20）の右脚部キャスタ（21）と左脚部キャスタ（21）との間の間隔に保持することができる。そのため、ベッド設置時において右脚部パッド本体（１）と左脚部パッド本体（１）との間の間隔についてもこれを調節する作業が不要となり、もってベッド（20）の設置作業を更に容易に行うことができる。
【０１１９】
また、連結杆（10）は、その長さ方向に延びるとともに所定のケーブル類（16）が挿通される中空部（11）を有していることから、検出器からの出力信号線や検出器用給電ケーブル等のケーブル類（16）を連結杆（10）の中空部（11）に挿通して収納することができる。これにより、ベッド（20）の設置作業時に人の足やベッドのキャスタ（21）がケーブル類（16）に引っ掛かる不具合を防止することができ、もってベッド（20）の設置作業を確実に容易に行うことができる。
【０１２０】
また、案内杆（５）及び連結杆（10）は、それぞれパッド本体（１）に分離可能に接続されているから、必要に応じてパッド本体（１）に案内杆（５）や連結杆（10）を接続したり、パッド本体（１）からこれらを分離したりすることができる
また、案内杆（５）及び連結杆（10）はそれぞれアルミニウム製であるから、軽量で且つ頑丈になっている。
【０１２１】
なお、案内杆（５）及び連結杆（10）がそれぞれプラスチック製である場合には、軽量な案内杆（５）及び連結杆（10）を提供できる。
【０１２２】
また、案内杆（５）及び連結杆（10）はそれぞれ押出材で形成されているから、これらを低コストに製作することができる。
【０１２３】
図９に示した本発明の第２実施形態に係るベッドの脚パッド（P2）では、案内杆（５）の両端部のうち一端部だけが右頭部パッド本体（１）の縁部（1a）の端部にねじ（15）等の締結部材で分離可能に接続されている。そして、この案内杆（15）は、ベッド（20）の下側において右頭部パッド本体（１）からベッド長さ方向に真直に延びた状態でベッド設置面（25）上に敷設されている。また、案内杆（５）の他端部は、右脚部パッド（１）に接続されておらず、ベッド（20）の長さ方向略中間部の下側に位置している。したがって、この案内杆（５）は間隔保持杆としては機能していない。
【０１２４】
また、この脚パッド（P2）は連結杆を備えていない。
【０１２５】
この脚パッド（P2）の他の構成は、上記第１実施形態の脚パッド（P1）と同じである。
【０１２６】
図１０に示した本発明の第３実施形態に係るベッドの脚パッド（P3）では、案内杆（５）は、平面視円弧状（詳述すると平面視半円弧状）に形成されたものであり、右頭部パッド本体（１）と左頭部パッド本体（１）との間に介在されるとともに、該両パッド本体（１）（１）を相互に連結しているものである。
【０１２７】
すなわち、この案内杆（５）の一端部は右頭部パッド本体（１）の縁部（1a）の端部にねじ（15）等の締結部材で分離可能に接続されている。そして、この案内杆（５）は、ベッド（20）の下側において右頭部パッド本体（１）からベッド長さ方向に対してベッド内側に平面視円弧状に屈曲してベッド幅方向に延びるとともに、該案内杆（５）の他端部が左頭部パッド本体（１）の縁部（1a）の端部にねじ（15）等の締結部材で分離可能に接続されている。そして、この状態で案内杆（５）がベッド設置面（25）上に敷設されている。
【０１２８】
また、連結杆（10）は、右脚部パッド本体（１）と左脚部パッド本体（１）との間に介在されるとともに、該両パッド本体（１）（１）を相互に連結している。そして、この状態で連結杆（10）がベッド設置面（25）上に敷設されている。
【０１２９】
さらに、案内杆（５）と連結杆（10）との間には、ベッド長さ方向に延びた中間連結杆（13）が介在されるとともに、この中間連結杆（13）の一端部が案内杆（５）の長さ方向中間部にねじ（15）等の締結部材で分離可能に接続されるとともに、他端部が連結杆（10）の長さ方向中間部にねじ（15）等の締結部材で分離可能に接続されている。これにより、案内杆（５）と連結杆（10）とが中間連結杆（13）を介して相互に連結されている。そして、この状態で中間連結杆（13）がベッド設置面（25）上に敷設されている。この中間連結杆（13）の底面には、ベッド設置面（25）に対するシート状滑り止め部材（図示せず）が貼り付けられて設けられている。なお（19）は、連結杆（10）と中間連結杆（13）とを接続するための接続片である。
【０１３０】
さらに、こうして案内杆（５）と連結杆（10）とが相互に連結されることにより、４個のパッド本体（１）（１）（１）（１）間の間隔は、ベッド（20）の４個のキャスタ（21）（21）（21）（21）間の間隔に保持されている。したがって、案内杆（５）と連結杆（10）はそれぞれ間隔保持杆としても機能している。
【０１３１】
この脚パッド（P3）を用いたベッド（20）の設置方法では、ベッド（20）を設置する際には、まずベッド（20）を脚パッド（P1）に対して右側に配置しておくか左側に配置しておく。そして、この位置からベッド（20）を移動させて、ベッド（20）の右頭部キャスタ（21）又は左頭部キャスタ（21）を案内杆（５）の案内部（６）に斜めに押し当て、該キャスタ（21）の一側面（21a）を案内部（６）に当接させる。そして、この当接状態で、ベッド（20）を更に移動させることにより、該キャスタ（21）が案内部（６）に沿って該キャスタ（21）に対応するパッド本体（１）へ案内される。
【０１３２】
この脚パッド（P3）では、ベッド（20）の設置作業を開始する際に、ベッド（20）を脚パッド（P3）に対して右側に配置しておいても良いし、左側に配置しておいても良いという利点がある。
【０１３３】
この脚パッド（P3）の他の構成は、上記第１実施形態の脚パッド（P1）と同じである。
【０１３４】
図１１に示した本発明の第４実施形態に係るベッドの脚パッド（P4）では、案内杆（５）は、上記第３実施形態の脚パッド（P3）と同じく、平面視円弧状（詳述すると平面視半円弧状）に形成されたものであり、右頭部パッド本体（１）と左頭部パッド本体（１）との間に介在されるとともに、該両パッド本体（１）（１）を相互に連結しているものである。
【０１３５】
また、この脚パッド（P4）は連結杆を備えていない。
【０１３６】
この脚パッド（P4）を用いたベッド（20）の設置方法は、上記第３実施形態と同じである。
【０１３７】
この脚パッド（P4）の他の構成は、上記第１実施形態の脚パッド（P1）と同じである。
【０１３８】
図１２に示した本発明の第５実施形態に係るベッドの脚パッド（P5）は、平面視円弧状に形成された２個の案内杆（５）（５）を備えている。そのうち１個の案内杆（５）において、その一端部は、右頭部パッド本体（１）の縁部（1a）の端部にねじ（15）等の締結部材で分離可能に接続されている。そして、この案内杆（５）は、ベッド（20）の下側において右頭部パッド本体（１）からベッド長さ方向に対してベッド内側に平面視円弧状に屈曲してベッド幅方向に延びた状態で、ベッド設置面（25）上に敷設されており、また案内杆（５）の他端部はベッド（１）の幅方向中間部の下側に位置している。これと同様に、残りの１個の案内杆（５）において、その一端部は、左頭部パッド本体（１）の縁部（1a）の端部にねじ（15）等の締結部材で分離可能に接続されている。そして、この案内杆（５）は、ベッド（20）の下側において左頭部パッド本体（１）からベッド長さ方向に対してベッド内側に平面視円弧状に屈曲してベッド幅方向に延びる状態で、ベッド設置面（25）上に敷設されており、また案内杆（５）の他端部はベッド（20）の幅方向中間部の下側に位置している。
【０１３９】
また、この脚パッド（P5）は連結杆を備えていない。
【０１４０】
この脚パッド（P5）を用いたベッド（20）の設置方法は、上記第３実施形態と同じである。
【０１４１】
この脚パッド（P5）の他の構成は、上記第１実施形態の脚パッド（P1）と同じである。
【０１４２】
図１３に示した本発明の第６実施形態に係るベッドの脚パッド（P6）は、１個の案内杆（５）を備えている。この案内杆（５）の一端部は、右頭部パッド本体（１）の縁部（1a）の端部にねじ（15）等の締結部材で分離可能に接続されている。そして、この案内杆（５）は、ベッド（20）の下側において右頭部パッド本体（１）からベッド長さ方向に対してベッド内側に平面視円弧状に屈曲してベッド幅方向に延びた状態で、ベッド設置面（25）上に敷設されており、また案内杆（５）の他端部はベッド（20）の幅方向中間部の下側に位置している。
【０１４３】
また、この脚パッド（P6）は連結杆を備えていない。
【０１４４】
この脚パッド（P6）の他の構成は、上記第１実施形態の脚パッド（P1）と同じである。
【０１４５】
以上で、本発明の幾つかの実施形態を説明したが、本発明は上記実施形態に示したものに限定されるものでなく、様々に設定変更可能である。
【０１４６】
例えば、本発明では、ベッドの脚パッドのパッド本体の個数は４個に限定されるものではない。すなわち、パッド本体の個数は、ベッドの移動用キャスタの個数に対応して決定されるものであり、例えば、３個であっても良いし、５個であっても良いし、あるいは６個以上であっても良い。
【産業上の利用可能性】
【０１４７】
本発明は、ベッドの移動用キャスタの下に敷かれるベッドの脚パッド及び該脚パッドを用いたベッドの設置方法に利用可能である。
【図面の簡単な説明】
【０１４８】
【図１】本発明の第１実施形態に係るベッドの脚パッドを示す平面図である。
【図２】同脚パッドの一つのパッド本体の拡大平面図である。
【図３】同脚パッドのもう一つのパッド本体の拡大平面図である。
【図４】図１中のＡ−Ａ線断面図である。
【図５】図１中のＢ−Ｂ線断面図である。
【図６】図１中のＣ−Ｃ線断面図である。
【図７】同脚パッドの案内杆の一変形例を示す、図２に対応する断面図である。
【図８】同脚パッドの案内杆のもう一つの変形例を示す、図２に対応する断面図である。
【図９】本発明の第２実施形態に係るベッドの脚パッドを示す平面図である。
【図１０】本発明の第３実施形態に係るベッドの脚パッドを示す平面図である。
【図１１】本発明の第４実施形態に係るベッドの脚パッドを示す平面図である。
【図１２】本発明の第５実施形態に係るベッドの脚パッドを示す平面図である。
【図１３】本発明の第６実施形態に係るベッドの脚パッドを示す平面図である。
【符号の説明】
【０１４９】
P1〜P6…ベッドの脚パッド
１…パッド本体（検出器）
２…キャスタ載置面
３…スロープ面
５…案内杆
６…案内部
８…中空部
10…連結杆
11…中空部
15…ねじ（締結部材）
16…ケーブル類
17…滑り止め部材
20…ベッド
21…キャスタ
22…脚部
25…ベッド設置面
【図１】
2006239113.tif 000003
【図２】
2006239113.tif 000004
【図３】
2006239113.tif 000005
【図４】
2006239113.tif 000006
【図５】
2006239113.tif 000007
【図６】
2006239113.tif 000008
【図７】
2006239113.tif 000009
【図８】
2006239113.tif 000010
【図９】
2006239113.tif 000011
【図１０】
2006239113.tif 000012
【図１１】
2006239113.tif 000013
【図１２】
2006239113.tif 000014
【図１３】
2006239113.tif 000015